(57)【要約】【課題】組立て空間を節約でき、スプレイユニットと発光ユニットにより使用する時、全身マッサージと良い雰囲気の灯光効果が得られるシャワー装置を提供する。【解決手段】出水口がある底座と、二つの側フレームが、それぞれ上記の底座の二つの対向角に設置され、また、スプレイユニットと発光ユニットとが設置された上フレームがあるフレームと、それぞれ上記のフレームの二つの側フレームの端縁に設置される門体とが含有される。【選択図】図１
0003139288.tif 000002
【実用新案登録請求の範囲】
【請求項１】
出水口がある底座と、二つの側フレームが、それぞれ、上記の底座の二つの対向角に設置され、また、スプレイユニットと発光ユニットとが設置された上フレームがあるフレームと、それぞれ、上記のフレームの二つの側フレームの端縁に設置される門体が含有されることを特徴とする、シャワー装置。
【請求項２】
該底座の周縁に、ストッパー部が環設され、該ストッパー部の内側面が斜面であることを特徴とする、請求項１に記載のシャワー装置。
【請求項３】
該フレームは、上フレームと二つのそれぞれ上フレームの両端から下へ延ばす側フレームから構成され、該フレームがほぼ冂文字形状であることを特徴とする、請求項１に記載のシャワー装置。
【考案の詳細な説明】
【技術分野】
【０００１】
本考案は、シャワー装置に関し、特に、組立て空間を節約でき、また、スプレイユニットと発光ユニットにより、使用する時、全身マッサージと良い雰囲気の灯光効果が得られるものに関する。
【背景技術】
【０００２】
一般の従来のものは、例えば、中華民国専利公報公告第５３７３４２号「組立て浴室の改良構造」があり、該組立て浴室は、第１の蓋体と、該第１の蓋体の一側に位置する第２の蓋体から構成され、該第１の蓋体の一側に延伸部を延ばし、該第２の蓋体の一側に該延伸部を収納するための凹槽が形成される天井頂蓋と、第１の座体と、該第１の座体の一側に位置する第２の座体から構成され、該第１の座体の一側に延伸段を延ばし、該延伸段の一側に組合わせ部が設けられ、該第２の座体の一側において、所定の位置に接合部が設けられ、該組合わせ部が接合部の上に跨るように設置され、また、該第１、第２の座体において、所定の位置に、それぞれ排水孔が設けられ、また、該第１、第２の座体の一側において、所定の位置に、それぞれ開口が形成され、開口の近くにある所定の位置に溝穴座が設けられ、該溝穴座に承水路が設けられ、該承水路の高さが、第１、第２の座体の内部の高さと同じである底座と、上記の天井頂蓋と底座との間に設置され、一つ以上の壁板と複数の壁板を接合するための壁角板とから構成される壁体とから構成される。
【０００３】
上記の従来の「組立て浴室の改良構造」は、従来の浴室工事の欠点を改善できるが、該組立て浴室の体積が大きくて全体構造が複雑であるため、組立て設置する時、より大きい空間を必要とし、また、組立てることが容易ではなく、また、該組立て浴室は天井頂蓋と底座及び壁体から構成されるため、全体としての設計が活発的ではなく、全身マッサージや雰囲気の創出などの効果が得られない。
【特許文献１】中華民国専利公報公告第５３７３４２号
【考案の開示】
【考案が解決しようとする課題】
【０００４】
本考案の主な目的は、従来技術の組立てが容易ではない問題点を解決でき、また、シャワー装置の組立て空間を節約でき、そして、スプレイユニットと発光ユニットにより、使用する時、全身マッサージや良い雰囲気の灯光効果が得られるシャワー装置を提供する。
【課題を解決するための手段】
【０００５】
請求項１の考案は、出水口がある底座と、二つの側フレームが、それぞれ上記の底座の二つの対向角に設置され、また、スプレイユニットと発光ユニットとが設置された上フレームがあるフレームと、それぞれ上記のフレームの二つの側フレームの端縁に設置される門体が含有されることを特徴とする、シャワー装置である。
【０００６】
請求項２の考案は、該底座の周縁に１輪のストッパー部が設けられ、該ストッパー部の内側面が斜面であることを特徴とする、請求項１に記載のシャワー装置である。
【０００７】
請求項３の考案は、該フレームは、上フレームと二つのそれぞれ上フレームの両端から下へ延ばす側フレームから構成され、該フレームがほぼ冂文字形状であることを特徴とする、請求項１に記載のシャワー装置である。
【考案を実施するための最良の形態】
【０００８】
図１と２は、それぞれ、本考案の立体外観概念図と本考案の立体分解概念図である。本考案は、図のようにシャワー装置であり、少なくとも、底座１とフレーム２及び門体３から構成され、シャワー装置を組立てる空間を節約でき、また、スプレイユニットと発光ユニットにより、使用する時、全身マッサージと良い雰囲気の灯光効果が得られる。
【０００９】
上記の底座１は、出水口１１があり、また、周縁にストッパー部１２が環設され、該ストッパー部１２の内側面が斜面１２１である。
【００１０】
該フレーム２は、上フレーム２１と二つのそれぞれ上フレーム２１の両端から下へ延ばす側フレーム２２から構成され、該フレーム２がほぼ冂文字形状で、また、該フレーム２の二つの側フレーム２２は、それぞれ上記の底座１の二つの対向角に設置され、また、該フレーム２の上フレーム２１と二つの側フレーム２２は、スプレイユニット２３と発光ユニット２４が設置され、該スプレイユニット２３は、複数のフレーム２の上フレーム２１の所定の位置に設けられた散水栓２３１とチューブが連接されたシャワーヘッド２３２及び該散水栓２３１とシャワーヘッド２３２を制御する制御弁２３４から構成され、該発光ユニット２４は、制御スイッチ２４１が電気的に接続される。
【００１１】
該門体３は、それぞれ、蝶番３１１により、フレーム２の二つの側フレーム２２の端縁に枢着された門板３１で、対応する位置にクローズするための吸付ユニット３２が設けられ、必要に応じてガラス板材やプラスック板材或いは木質板材からなる。上記の構造により新規のシャワー装置が構成される。
【００１２】
図３と４は、それぞれ、本考案の組立て状態概念図と本考案の使用状態断面概念図である。本考案は、図のように、組立てる時、まず、出水口１１を排水口４１に連通するように、底座１を浴室の壁面４同士が隣接する角に設置し、また、フレーム２の二つの側フレーム２２を、それぞれ上記の底座１の二つの対向角に設置し、そして、該二つの側フレーム２２を壁面４に面する一面において、固定素子４２により固定し、また、壁面４と二つの側フレーム２２との間にある傾斜部分に、コロホーム４３（例えば、シリコン）で充填して装飾し、また、該スプレイユニット２３を外部の給水システム（図に未表示）に連接し、また、発光ユニット２４を外部の電源（図に未表示）に連接し、これにより、浴室の壁面４同士が隣接する角に、該シャワー装置が設置され、組立て空間を節約することができる。
【００１３】
本考案を使用する時、ユーザーが、制御弁２３４により、複数の散水栓２３１を開くと全身マッサージの効果が得られ、或いは、制御弁２３４により、シャワーヘッド２３２を開くと一般のシャワーを行うことができ、また、制御スイッチ２４１により、同時に、発光ユニット２４をオンすると、ユーザーが雰囲気の良い灯光下でシャワーすることができ、また、ユーザーがシャワーする時、底座１において、周縁に環設されたストッパー部１の内側面である斜面１２１により、シャワーする時の汚水が外部へ流出することを防止できる。
【００１４】
上記の説明のように、本考案に係わるシャワー装置は、有効に従来の諸欠点を改善でき、また、組立て空間を節約し、該スプレイユニットと発光ユニットにより、使用する時、全身マッサージや雰囲気の良い灯光効果が得られ、そのため、本考案はより進歩的かつより実用的で、法に従って実用新案登録請求を出願する。
【００１５】
以上は、ただ、本考案のより良い実施例であり、本考案はそれによって制限されることが無く、本考案に係わる実用新案登録請求の範囲や明細書の内容に基づいて行った等価の変更や修正は、全てが本考案の実用新案登録請求の範囲内に含まれる。
【図面の簡単な説明】
【００１６】
【図１】本考案の立体外観概念図
【図２】本考案の立体分解概念図
【図３】本考案の組立て状態概念図
【図４】本考案の使用状態断面概念図。
【符号の説明】
【００１７】
１          底座
１１        出水口
１２        ストッパー部
１２１      斜面
２          フレーム
２１        上フレーム
２２        側フレーム
２３        スプレイユニット
２３１      散水栓
２３２      シャワーヘッド
２３４      制御弁
２４        発光ユニット
２４１      制御スイッチ
３          門体
３１        門板
３１１      蝶番
３２        吸付ユニット
４          壁面
４１        排水口
４２        固定素子
４３        コロホーム
【図１】
0003139288.tif 000003
【図２】
0003139288.tif 000004
【図３】
0003139288.tif 000005
【図４】
0003139288.tif 000006